(57)【要約】  本発明は、制御部の設定に基づいて、食品及び／又は化学品としての自由に成形できる対象物（３）に、装置（６）の塗布ヘッド（７）からの成形可能な塊状物（１１）を所望のデザインに応じて塗布する方法であって、対象物（３）の画像又は写真が生成されて処理装置（５）に読込まれ、次いで塊状物（１１）を塗布すべき輪郭（９．１、９．２）がなぞられて、そのデータが塗布ヘッド（７）の制御部に伝送されることを特徴とする。
2009525166.tif 000002
【特許請求の範囲】
【請求項１】
制御部の設定に基づいて、食品及び／又は化学品としての自由に成形できる対象物（３）に、装置（６）の塗布ヘッド（７）からの成形可能な塊状物（１１）を所望のデザインに応じて塗布する方法であって、
対象物（３）の画像又は写真が生成されて処理装置（５）に読込まれ、次いで塊状物（１１）を塗布すべき輪郭（９．１、９．２）がなぞられて、そのデータが塗布ヘッド（７）の制御部に伝送されることを特徴とする方法。
【請求項２】
前記写真は、デジタルカメラにより生成されることを特徴とする請求項１に記載の方法。
【請求項３】
前記写真は、デジタルカメラを介して直接又はＵＳＢケーブル（４）により処理装置（５）に読込まれることを特徴とする請求項２に記載の方法。
【請求項４】
前記写真は、なぞられる前に大きさが変更されることを特徴とする請求項１ないし請求項３のいずれか１項に記載の方法。
【請求項５】
装置（５）を始動させる前に塗布ヘッド（７）の高さが決定されることを特徴とする請求項１ないし請求項４のいずれか１項に記載方法。
【請求項６】
制御部の設定に基づいて、食品及び／又は化学品としての自由に成形できる対象物（３）に、装置（６）の塗布ヘッド（７）からの成形可能な塊状物（１１）を所望のデザインに応じて塗布する装置であって、
処理装置（５）の一部である制御部が画像又は写真を伝送する装置（２）に連結され、塊状物（１１）を塗布すべき輪郭（９．１、９．２）をなぞる入力装置（１０）が処理装置（５）に配置されていることを特徴とする装置。
【請求項７】
前記画像又は写真を伝送する装置がスキャナーであることを特徴とする請求項６に記載の装置。
【請求項８】
前記画像又は写真を伝送する装置がデジタルカメラであることを特徴とする請求項６に記載の装置。
【請求項９】
前記画像又は写真を伝送する装置（２）が、ＵＳＢケーブル（４）を介して処理装置（５）と連結されていることを特徴とする請求項６ないし請求項８のいずれか１項に記載の装置。
【請求項１０】
有線又は無線で処理装置（５）と連結されているマウス（５）を用いて、タッチスクリーンを直接なぞることを特徴とする請求項６ないし請求項９のいずれか１項に記載の装置。
【請求項１１】
塗布ヘッド（７）が、塗布用ノズルであることを特徴とする請求項６ないし請求項１０のいずれか１項に記載の装置。
【発明の詳細な説明】
【技術分野】
【０００１】
本発明は、制御部の設定に基づいて、自由に成形できる食品及び／又は化学品である対象物上に、装置の塗布ヘッドから、成形可能な塊状物を所望のデザインに応じて塗布する方法並びにその装置に関する。
【背景技術】
【０００２】
食品及び化学工業の多くの分野において、所定の対象物を成形可能な塊状物で覆うことが要求されている。その塊状物とは、例えば、クリーム類、生地類又はチョコレートである。通常は、成形可能な塊状物は流動性があり対象物の所定の領域に装置の塗布ヘッドにより塗布される。当然、塗布領域は予め決めておく必要がある。今日では、コンピュータ・グラフィックスを用いてデザインが作成され、しかも自動的に処理又は制御されることが多い。そのため、デザインを作成し、仕上げるソフトウェアの専門家が必要とされる。
【０００３】
自動的に生成されない限りは、転送ソフトウェアにより生成されたファイルが処理装置に入力されるか又はロボットに転送される。
【０００４】
次いで、設備が初期化され、コンピュータ・プログラムが始動する。
【発明の開示】
【発明が解決しようとする課題】
【０００５】
本発明は、自由に成形できる対象物に所望のデザインに応じて、成形可能な塊状物を塗布する、簡単で且つ改善された上記のような方法及び装置を提供することを目的としている。
【課題を解決するための手段】
【０００６】
対象物の画像または写真を生成し処理装置に読み込ませ、塊状物によって形成すべき輪郭をなぞり、そのデータを塗布ヘッドの制御部へと伝送することにより解決される。
【発明を実施するための最良の形態】
【０００７】
本発明による処理装置を用いれば、作業者は誰でも形成すべき対象物の画像又は写真を生成し、処理装置に入力できる。処理装置のディスプレイにおいて、塊状物が覆う対象物の輪郭を正確になぞることができる。これには、ソフトウェアの専門家もグラフィックソフトウェアの追加も必要としない。
【０００８】
対象物の画像は任意のやり方で生成できる。例えば、対象物をスキャンするかセンサを用いて表面の輪郭を測定することも可能である。しかし、好適な実施例においては、簡単で独自性の観点から、デジタルカメラにより画像を生成させ、ＵＳＢ媒体を介して処理装置に読み込まれる。当然ではあるが、スキャナーを介してアナログ写真を処理装置へ読み込むことも可能である。しかし、この方法はデジタルカメラを用いるよりも手間がかかる。
【０００９】
最近の処理装置には、ディスプレイも備えられていることが多い。このディスプレイにおいて、塊状物により成形されるべき輪郭をなぞるために、形成すべき対象物の画像又は写真を拡大又は縮小することも可能である。
【００１０】
この輪郭を、例えばマウス又はタッチスクリーン（任意の入力装置、又は例えば指又は音声入力なども本発明の範囲である）により輪郭をなぞった後には、塗布ヘッドの高さ設定するだけで、装置が始動し対象物が形成される。
【００１１】
本発明では、食品及び／又は化学品である成形できる対象物上に、処理装置の塗布ヘッドからの成形可能な塊状物を所望のデザインに従って塗布する装置も制御する処理装置の制御部と、画像又は写真を伝送する装置と連結可能である。更に、処理装置には、塊状物により形成されるべき輪郭をなぞる入力機器又は入力機能が備えられている。
【実施例】
【００１２】
以下図面により、実施例に基づいて、本発明の利点、特徴を説明する。
【００１３】
図１に示す第一の工程において、使用者１は、デジタルカメラ２により、成形できる対象物、例えばチョコレート製の野ウサギ３を撮影する。次いで、図２に示すように、デジタルカメラ２はＵＳＢケーブル４を介して処理装置５に連結される。図６に示すように、処理装置５は対象物３上に所望のデザインに応じて塗布ヘッド７からの成形可能な塊状物を塗布する装置６の一部である。この処理装置は、形成すべき対象物３が表示されたディスプレイ８を備えている。
【００１４】
次いで、図３に示すように、対象物３は使用者の望む大きさに変更される。
【００１５】
図４に示すように、成形可能な塊状物で覆われる領域９．１、９．２が設定される。本実施例では、野ウサギの目が、塊状物により形成される。領域９．１、９．２をマウス１０でなぞると、図５に示すように、スクリーン上に明示される。
【００１６】
図６及び図７に示すように、塗布ヘッド７の始動位置が決定される。塗布ヘッドにおいては、塗布ノズルが重要である。この塗布ノズルから、対象物３の予め設定された領域９．１、９．２に、成形可能な塊状物１１が正確に塗布される。
【図面の簡単な説明】
【００１７】
【図１】本発明による方法に基づいて、形成可能な対象物の写真を撮影している使用者の側面模式図
【図２】デジタルカメラを連結した処理装置の斜視図
【図３】図２の後続の工程を示す処理装置の斜視図
【図４】図２の後続の行程を示す処理装置の部分拡大斜視図
【図５】処理装置のディスプレイ部を示す図
【図６】成形可能な塊状物を塗布する装置の部分斜視図
【図７】図６の一部の拡大図
【符号の説明】
【００１８】
１    使用者
２    デジタルカメラ
３    対象物
４    ＵＳＢケーブル
５    処理装置
６    （塊状物の塗布）装置
７    塗布ヘッド
８    ディスプレイ
９    （塊状物を塗布すべき）領域
１０  マウス
１１  塊状物
【図１】
2009525166.tif 000003
【図２】
2009525166.tif 000004
【図３】
2009525166.tif 000005
【図４】
2009525166.tif 000006
【図５】
2009525166.tif 000007
【図６】
2009525166.tif 000008
【図７】
2009525166.tif 000009
【国際調査報告】
2009525166.tif 000010
2009525166.tif 000011
2009525166.tif 000012
2009525166.tif 000013
2009525166.tif 000014